(57)【特許請求の範囲】
【請求項１】
軸受の軸線方向の両側に位置する大径側の側輪そして小径側の側輪と該両側輪を連結するウェブを有し、該ウェブのポケット側の案内面が円錐ころの形状に合わされ、該案内面が軸受半径方向でころピッチ円の外側に位置してころを軸受円周方向に分離して位置せしめるころ分離部分と円錐ころを軸受半径方向に保持するころ保持部分とを有し、ころ分離部分が軸受半径方向で案内面の内側部そしてころ保持部分が外側部に位置している円錐ころ軸受の合成樹脂製ポケット形保持器において、ころ分離部分は両側輪の間でウェブ長手方向に一様に延びて形成され、ころ保持部分が軸受軸線に直角な面での断面でころ分離部分から連続して延びる凹弯曲表面を有していると共に、小径側の側輪（２）側の部分にてころ保持部分（１０）の軸受軸線に直角な面でのウェブの断面積を他部分から上記小径側の側輪に向けて次第に減少させることによってポケット幅が軸受円周方向に広げられていることを特徴とする円錐ころ軸受の合成樹脂製ポケット形保持器。
【請求項２】
ころ保持部分（１０）が小径側の側輪（２）側でウェブ長さの最後の４分の１にて小径側の側輪（２）に向けて断面積が連続的に減少されていることとする請求項１に記載の円錐ころ軸受の合成樹脂製ポケット形保持器。
【請求項３】
ころ保持部分（１０）は軸受円周方向での寸法が上記他部分に対し減少されていることとする請求項１又は請求項２に記載の円錐ころ軸受の合成樹脂製ポケット形保持器。
【請求項４】
ころ保持部分（１０）は軸受半径方向での寸法が上記他の部分に対し減少されていることとする請求項１ないし請求項３のいずれか１つに記載の円錐ころ軸受の合成樹脂製ポケット形保持器。
【発明の詳細な説明】
【０００１】
【発明の属する技術分野】
本発明は、軸受の軸線方向の両側に位置する大径側の側輪そして小径側の側輪と該両側輪を連結するウェブを有し、該ウェブのポケット側の案内面が円錐ころの形状に合わされ、該案内面が軸受半径方向でころピッチ円の外側に位置してころを軸受円周方向に分離して位置せしめるころ分離部分と円錐ころを軸受半径方向に保持するころ保持部分とを有し、ころ分離部分が軸受半径方向で案内面の内側部そしてころ保持部分が外側部に位置しているころ軸受の円錐合成樹脂製ポケット形保持器に関する。
【０００２】
【従来の技術】
ドイツ特許第３１４１８１３号明細書により既に、ポケット側案内面がころを所定間隔を隔てて保持し、外輪が装着されていないときにこの案内面がころを半径方向に保持するような円錐ころ軸受の合成樹脂製保持器が知られている。この場合、内輪は、通常、大径側と小径側の両側に鍔を備えており、これによって軸受の組立が難しくなっている。この公知の保持器の構造の場合、ころが鍔の後ろからポケットの中へその使用位置をとるまでころを内輪の小径側の鍔を越えて押し込むために、合成樹脂の弾性が利用されている。鍔は、通常粗くしか仕上げられていないので、円錐ころ外周面に傷がつくことは避けられない。
【０００３】
この欠点を除去するためにドイツ特許第４５１８２５号明細書で、組立の際に円錐ころを軸受半径方向に変位することができるようにポケットの一部を軸受円周方向に広げて形成することが提案されている。これはころ保持部分をもたない薄い板金製保持器であり、ころは運転中においてもその広げられたポケット部分内で回転する。これによって円錐ころはその長さの一部でしか案内されず、このために保持器の所望の機能は部分的にしか満たされない。したがってむしろ円錐ころが斜めになり、正規の案内幾何学形状が得られないことを考慮しなければならない。
【０００４】
【発明が解決しようとする課題】
本発明は冒頭に述べた形式の円錐ころ軸受の合成樹脂製ポケット形保持器を、円錐ころが無傷に組み込まれることができ、ころ保持部分の機能が十分に維持されるように形成することを目的としている。
【０００５】
【課題を解決するための手段】
本発明によれば、上記目的は、ころ分離部分は両側輪の間でウェブ長手方向に一様に延びて形成され、ころ保持部分が軸受軸線に直角な面での断面でころ分離部分から連続して延びる凹弯曲表面を有していると共に、小径側の側輪側の部分にてころ保持部分の軸受軸線に直角な面でのウェブの断面積を他部分から上記小径側の側輪に向けて次第に減少させることによってポケット幅が軸受円周方向に広げられていることによって達成される。
【０００６】
本発明に基づくポケット形保持器の場合、ウェブの円錐ころを分離するころ分離部分は有利には変更されないままにされる。これによって運転中に円錐ころの全長にわたって案内機能をもたらし、円錐ころのスキュー対策が確保される。ころ保持部分は片側の側輪の手前の限られた部分の範囲での機能が低下するだけであり、残存する非常に長いポケット部分によってその機能は十分に満足される。本発明によれば、優れた案内特性を有し、円錐ころを内輪の小径側の鍔を越えて無傷に組み込むことができ、合成樹脂で安価に製造できるポケット形保持器が得られる。
【０００７】
【発明の実施の形態】
以下、添付図面にもとづいて本発明の実施の形態を説明する。
【０００８】
図１でポケットの範囲だけが示されている保持器は合成樹脂から押出し成形されている。ポケットの中に円錐ころ１が嵌め込まれている。この円錐ころ１は使用位置において内輪（図示せず）と協働する。保持器は小径側の側輪２と大径側の側輪３を有し、これら大径側と小径側の側輪２，３がウェブ４によって連結されるように一体成形されている。
【０００９】
保持器には、小径側の側輪２と大径側の側輪３における端面側の案内面５のほかに、ウェブ４のポケット側の面に円錐ころ外周面に対する案内面が円錐ころの形状にほぼ合うように形成されている。これは図３から明らかに理解できる。図３に見られるように、ウェブ４にはころピッチ円７の範囲に位置するころ分離部分８および円錐ころ１を半径方向変位に対して保持するころ保持部分９が存在している。これら両部分８，９は一緒に円錐ころ１の案内面６を形成している。これら両部分８，９のこの複合された案内面は大径側の側輪３から発してころ長さの約３分の２以上にわたって延びている。それに続く案内面６の残り３分の１以下、特に図４では約４分の１は上述の案内面形状からずれており、これは図２から明らかに理解できる。ころ分離部分８は小径側の側輪２の位置まで変わらずに続いているが、ころ保持部分１０は保持器内側から見て半径方向並びに円周方向に減少されている。すなわち、ポケットはこの箇所において広げて形成されている。しかし両部分８，９の連続的な移行部はなお存在している。したがって円錐ころの小径側端は、減少されたころ保持部分１０によって制限されるまで、もっと半径方向外側に位置することができる。
【００１０】
保持器の内側からウェブ４を見た図４において、ウェブ４に沿って延びる異なったころ保持部分９，１０が明らかに理解できる。ここではその差異は誇張して示されている。ころ分離部分８はウェブ４の全長にわたって一定して線形に延びて存在している。大径側の側輪３から約３分の２以上の長さにわたって凹面状に成形されたころ保持部分９が延び、このころ保持部分９は小径側の側輪２に向かって、ころ保持部分１０にほぼ完全に合流するために連続して減少されている。
【図面の簡単な説明】
【図１】  本発明に基づく円錐ころ軸受の保持器のポケットの縦断面図である。
【図２】  図１におけるＡ−Ａ線断面図である。
【図３】  図１におけるＢ−Ｂ線断面図である。
【図４】  図１における保持器のウェブを半径方向内側から見た図である。
【符号の説明】
１  円錐ころ
２  小径側の側輪
３  大径側の側輪
４  ウェブ
８  ころ分離部分
９  ころ保持部分
１０  ころ保持部分
【図１】
0004105773.tif 000002
【図２】
0004105773.tif 000003
【図３】
0004105773.tif 000004
【図４】
0004105773.tif 000005